(57)【要約】【課題】  ファッション性の高いスマートなテンプルデザインを実現することができ、ヒンジのガタつきや止着ネジの緩みによるテンプル開閉機能の障害も生じ難く、しかも、構造が簡素で製造コストも安価な眼鏡テンプルの薄型バネ蝶番機構を提供すること。【解決手段】  薄い帯状テンプル１の前端部位には、内面側或いは外面側の何れか一方が開口した開放部を有する差込チャンネル部を設け、この差込チャンネル部の開放部の上部または／及び下部に蝶片を固設すると共に、当該テンプル１に形成された差込チャンネル部には、前記蝶片に該当する前記開放部の対向面側に逃げ穴を形成し、かつ、この差込チャンネル部のチャンネル溝には板バネを装入する一方、前記蝶片を、回動周縁がカム形状を成す回動蝶片とピボットにて相互にヒンジ連結して構成した。【選択図】  図１
2008281808.tif 000002
【特許請求の範囲】
【請求項１】
眼鏡フレームのテンプル１・１の開閉操作に弾力的な反発力を生じせしめる眼鏡テンプルのバネ蝶番機構であって、
薄い帯状テンプル１の前端部位には、内面側或いは外面側の何れか一方が開口した開放部11aを有する差込チャンネル部11を設け、この差込チャンネル部11の開放部11aの上部または／及び下部に蝶片12・12を固設すると共に、当該テンプル１に形成された差込チャンネル部11には、前記蝶片12・12に該当する前記開放部11aの対向面側に逃げ穴13を形成し、かつ、この差込チャンネル部11のチャンネル溝11bには板バネ14を装入する一方、
前記蝶片12・12を、回動周縁15aがカム形状を成す回動蝶片15とピボット16にて相互にヒンジ連結することにより、回動蝶片15の回動時にカム形状の周縁15aの凸曲部15bが前記板バネ14に接触して当該板バネ14を前記逃げ穴13の中で撓ませてテンプル１の開閉操作に弾力的な反発力を付与することを特徴とする眼鏡テンプルの薄型バネ蝶番機構。
【請求項２】
フロント枠Ｆの側端部に配設されたブラケット智Ｂの持出端に回動蝶片15を設け、この回動蝶片15と、テンプル１の蝶片12・12とを相互にヒンジ連結し、前記回動蝶片15の凸曲部15bが逃げ穴13に位置する板バネ14を撓ませて、テンプル１の開閉操作時に反発力を生じせしめることを特徴とする請求項１記載の眼鏡テンプルの薄型バネ蝶番機構。
【請求項３】
テンプル１において逃げ穴13が打ち抜き状に形成されていることを特徴とする請求項１または２に記載の眼鏡テンプルの薄型バネ蝶番機構。
【請求項４】
テンプル１に装入された板バネ14の嵌装部14bに、スリットＳ・Ｓが並設されて撓曲部14aが伸長されていることを特徴とする請求項１〜３の何れか一つに記載の眼鏡テンプルの薄型バネ蝶番機構。
【請求項５】
テンプル１に装入された板バネ14に孔状又は突起状の引掛け部14cが形成され、この引掛け部14cを治具で押引することにより板バネ14を差込チャンネル部11から抜き出し可能としたことを特徴とする請求項１〜４の何れか一つに記載の眼鏡テンプルの薄型バネ蝶番機構。
【請求項６】
テンプル１の差込チャンネル部11に連接してスロット部17が設けられていることを特徴とする請求項１〜５の何れか一つに記載の眼鏡テンプルの薄型バネ蝶番機構。
【請求項７】
眼鏡フレームのテンプル１・１の開閉操作に弾力的な反発力を生じせしめる眼鏡テンプルのバネ蝶番機構であって、
薄い帯状テンプル１の前端部位には、内面側或いは外面側の何れか一方が開口した開放部11aを有する差込チャンネル部11を設け、この差込チャンネル部11の開放部11aの上部または／及び下部に蝶片12・12を固設すると共に、この差込チャンネル部11のチャンネル溝11bには折曲部14d又は反曲部14eを有する板バネ14を装入する一方、
前記蝶片12・12を、回動周縁15aがカム形状を成す回動蝶片15をピボット16にて相互にヒンジ連結することにより、回動蝶片15の回動時にカム形状の周縁15aの凸曲部15bが前記板バネ14の折曲部14d又は反曲部14eを押圧してテンプル１の開閉操作に弾力的な反発力を付与することを特徴とする眼鏡テンプルの薄型バネ蝶番機構。
【発明の詳細な説明】
【技術分野】
【０００１】
本発明は、眼鏡テンプルの薄型バネ蝶番機構の改良、詳しくは、ファッション性の高いスマートなテンプルデザインを実現することができ、テンプルがぐらぐらに緩むこともなく、しかも、構造も簡素で安価に製造できる眼鏡テンプルの薄型バネ蝶番機構に関するものである。
【背景技術】
【０００２】
周知のとおり、眼鏡フレームにおいては、側頭部に対する安定したテンプルの装着状態を得るために、テンプルを拡開操作したときに弾性部材によりテンプルを内側へ付勢させて高度な反発力を生じせしめるバネ蝶番機構を採用することが多い。
【０００３】
そして、従来における眼鏡フレームのバネ蝶番機構としては、テンプルのヒンジ連結部分にコイルバネを内蔵し、このコイルバネがテンプルを開いた際に圧縮されて、その圧縮バネの反発力を利用してテンプルを内側方向に付勢できるようにしたものがよく知られている（例えば、特許文献１参照）。
【０００４】
しかしながら、上記従来におけるバネ蝶番機構では、コイルバネを内蔵するため円柱状の取付孔をテンプルに設けなければならなかったことから、テンプルを通常以上に太く設計する必要があり、スリムなテンプルデザインを実現できなかった。
【０００５】
一方、従来においては、＜特許文献２＞にあるように、テンプルに板バネ部を設け、かつ、ヨロイ部には円弧状の舌片を固着して、この舌片の端部がテンプルを開いた際に前記テンプルの板バネ部を押圧して撓曲させることにより、その撓曲した板バネの反発力によってテンプルを内側方向に付勢できるようにした眼鏡フレームのバネ蝶番構造も公知となっている。
【０００６】
ところが、上記従来のバネ蝶番機構は何れも、テンプルを薄板状のスリムなデザインに設計しようとしても、ヨロイに取り付ける円弧状の舌片がテンプルの外観を損うためデザインが野暮ったい印象になってしまうというデザイン上の不満があった。
【０００７】
加えて、上記バネ蝶番機構では、板バネに作用する舌片の端部が支点であるヒンジから離れた位置に配設されていたことから、板バネの押圧時に舌片の作用部からヒンジに加えられる負荷が大きくなってしまい、それがヒンジのピボット周辺部を早く磨耗させる原因となってヒンジにガタつきが生じることがあった。
【０００８】
また、上記＜文献２＞では、テンプルに板バネ部を形成する手段として板バネをネジ部材で固定する方法が開示されているが、その方法だと眼鏡フレームの組み立て作業が煩雑化してしまうだけでなく、テンプルの繰り返しの開閉操作によって止着ネジが緩んで板バネ部から適当な反発力を得られなくなることもあった。
【特許文献１】特開平６−２４２４０６号公報（第２−５頁、第１〜３図）
【特許文献２】特許第３６８６２９２号公報（第２−６頁、第１〜９図）
【発明の開示】
【発明が解決しようとする課題】
【０００９】
本発明は、上記の如き問題に鑑みて為されたものであり、その目的とするところは、眼鏡の着用時において側頭部に対するテンプルの装着状態を安定保持することができることは勿論、更に一歩進んで、ファッション性の高いスマートなテンプルデザインを実現することができ、併せて、ヒンジのガタつきや止着ネジの緩みによるテンプル開閉機能の障害も生じ難く、しかも、構造が簡素で製造コストも安価な眼鏡テンプルの薄型バネ蝶番機構を提供することにある。
【課題を解決するための手段】
【００１０】
本発明者が、上記課題を解決するために採用した手段を添付図面を参照して説明すれば次のとおりである。
【００１１】
即ち、本発明は、眼鏡フレームのテンプル１・１の開閉操作に弾力的な反発力を生じせしめる眼鏡テンプルのバネ蝶番機構であって、
薄い帯状テンプル１の前端部位には、内面側或いは外面側の何れか一方が開口した開放部11aを有する差込チャンネル部11を設け、この差込チャンネル部11の開放部11aの上部または／及び下部に蝶片12・12を固設すると共に、当該テンプル１に形成された差込チャンネル部11には、前記蝶片12・12に該当する前記開放部11aの対向面側に逃げ穴13を形成し、かつ、この差込チャンネル部11のチャンネル溝11bには板バネ14を装入する一方、
前記蝶片12・12を、回動周縁15aがカム形状を成す回動蝶片15とピボット16にて相互にヒンジ連結することにより、回動蝶片15の回動時にカム形状の周縁15aの凸曲部15bが前記板バネ14に接触して当該板バネ14を前記逃げ穴13の中で撓ませてテンプル１の開閉操作に弾力的な反発力を付与した点に特徴がある。
【００１２】
また、本発明においては、上記課題を解決するために、必要に応じて上記手段に加え、フロント枠Ｆの側端部に配設されたブラケット智Ｂの持出端に回動蝶片15を設け、この回動蝶片15と、テンプル１の蝶片12・12とを相互にヒンジ連結し、前記回動蝶片15の凸曲部15bが逃げ穴13に位置する板バネ14を撓ませて、テンプル１の開閉操作時に反発力を生じさせるという技術的手段を採用することができる。
【００１３】
また、本発明においては、上記課題を解決するために、必要に応じて上記手段に加え、テンプル１において逃げ穴13を側面まで打ち抜いて設けるという技術的手段を採用することができる。
【００１４】
また、本発明においては、上記課題を解決するために、必要に応じて上記手段に加え、テンプル１に装入された板バネ14の嵌装部14bにスリットＳ・Ｓを並設して撓曲部31を伸長するという技術的手段を採用することができる。
【００１５】
また、本発明においては、上記課題を解決するために、必要に応じて上記手段に加え、テンプル１に装入された板バネ14に凹状又は凸状の引掛け部14cを形成し、この引掛け部14cを治具で押引することにより板バネ14を差込チャンネル部11から抜き出し可能にするという技術的手段を採用することができる。
【００１６】
また、本発明においては、上記課題を解決するために、必要に応じて上記手段に加え、テンプル１の差込チャンネル部11に連接してスロット部17を設けるという技術的手段を採用することができる。
【００１７】
また、本発明においては、上記課題を解決するために、必要に応じて上記手段に加え、眼鏡フレームのテンプル１・１の開閉操作に弾力的な反発力を生じせしめる眼鏡テンプルのバネ蝶番機構であって、
薄い帯状テンプル１の前端部位には、内面側或いは外面側の何れか一方が開口した開放部11aを有する差込チャンネル部11を設け、この差込チャンネル部11の開放部11aの上部または／及び下部に蝶片12・12を固設すると共に、この差込チャンネル部11のチャンネル溝11bには折曲部14d又は反曲部14eを備えた板バネ14を装入する一方、
前記蝶片12・12を、回動周縁15aがカム形状を成す回動蝶片15とピボット16にてヒンジ連結することにより、回動蝶片15の回動時にカム形状の周縁15aの凸曲部15bが前記板バネ14の折曲部14d又は反曲部14eを押圧してテンプル１の開閉操作に弾力的な反発力を付与するという技術的手段を採用することができる。
【発明の効果】
【００１８】
本発明では、薄い帯状テンプルの前端部位に開放部及び逃げ穴を有する差込チャンネル部を形成して、その差込チャンネル部には板バネを装入するとともに、前記開放部を挟んでテンプルに配設された蝶片には、カム状の回動蝶片をヒンジ連結して構成したことによって、テンプルを拡開した際に、回動蝶片の凸曲部が板バネを押圧して撓らせることができ、更に撓った板バネがテンプルを付勢して弾力的な反発力を生じさせることにより、左右テンプルが側頭部をしっかりと挟み込んで安定的な装着状態を得ることができる。
【００１９】
さらに、シート状の板バネを弾性部材として使用したことによりテンプルのスリム化が可能となり、しかも、回動蝶片によって板バネを撓曲可能に構成したことにより、テンプルの外観を損なうような余計な部材が不要となるため、非常に薄型でファッション性が高くてスマートなテンプルデザインを実現することができる。
【００２０】
他方また、回動蝶片に形成した凸曲部で板バネを押圧する構造としたことにより、支点であるヒンジと板バネを撓曲させる作用部との位置を著しく近接させることができ、それによって作用部からヒンジに加えられる負担を大幅に軽減することができるため、ピボット周辺部の磨耗によるヒンジのガタつき等の機能的障害を抑制することも可能である。
【００２１】
そしてまた、テンプルに対する板バネの取付けにネジ部材などの止着部材が不要であるため、差込チャンネル部に板バネを挿入するだけの簡単な組み立て作業でよく、加えて、ネジ部材の緩みによって付勢力の低下が生じるようなこともない。
【００２２】
したがって、本発明により、意匠性、及び機能面の耐久性に優れ、製造面においても非常に好都合な薄型バネ蝶番機構を備えた眼鏡テンプルを提供できることから、本発明の実用的利用価値は頗る高い。
【発明を実施するための最良の形態】
【００２３】
『実施例１』
まず、本発明の実施例１について、図１から図４に基いて説明する。まず、符号１で指示するものは、テンプルである。
【００２４】
しかして、本実施例の構成を以下に説明する。まず、本実施例では、帯状の金属製テンプル１前端部位に、内面側が開口した開放部11aを有する差込チャンネル部11を設け、この差込チャンネル部11の開放部11aを挟むごとく当該テンプルの上辺と下辺に蝶片12・12を対設した（図１、図２参照）。
【００２５】
そして、テンプル１に形成された差込チャンネル部11の内壁のテンプル１外面側には、前記蝶片12・12に該当する箇所に逃げ穴13を形成すると共に、この差込チャンネル部11のチャンネル溝11bにはシート状の板バネ14を装入した（図３参照）。
【００２６】
なお本実施例では、板バネ14の材料には安価で成形加工が容易なＳＫ鋼を採用したが、材料に関しては錆び難いステンレスやベリリウム銅のごとき銅合金、チタン合金等を採用しても勿論よい。
【００２７】
さらに、前記テンプル１に設けた蝶片12・12の間には、フロント枠Ｆの側端後部に固着されたブラケット智Ｂの持出端に配設され、かつ、回動周縁15aがカム形状を成す回動蝶片15を内側から挿入して、ピボット16にて前記蝶片12・12と相互にヒンジ連結することにより、回動蝶片15の回動時にカム形状の周縁15aの凸曲部15bが開放部11aを通して前記板バネ14に接触するように構成した。
【００２８】
上記のように構成したことによって、図４に示すように、テンプル１を所定角度以上で外側に開いた際、回動蝶片15の凸曲部15bにより押圧された板バネ14の撓曲部14aが逃げ穴13の中で撓んで板バネ14を撓曲させることができるため、その撓んだ板バネ14の弾力的な反発力によってテンプル１を内側に付勢することができ、また、その付勢作用によって左右テンプル１・１が側頭部をしっかりと常時挟み込んで安定的な装着状態を得ることができる。
【００２９】
なお、前記テンプルにおける撓曲した板バネ14の反発力の大きさは、板バネ14の材料及び厚み、サイズによって調節することができるだけでなく、差込チャンネル部11の内壁に設けた逃げ穴13の大きさや深さ、そして回動蝶片15の凸曲部15bの形状等によっても調節することが可能である。
【００３０】
また、弾性部材として板厚0.1mm程度の非常に薄いシート状の板バネ14を使用しているため、テンプルを非常にスリムな帯状のデザインに設計することもでき、加えて、逃げ穴13をテンプル１外面まで貫通して設けなかったことにより、テンプル１の外観を不要に損なわれることもない。
【００３１】
さらに、回動蝶片15に形成した凸曲部15bで板バネ14を押圧する構造としたことで、支点であるヒンジと板バネ14を撓曲させる作用部との位置を著しく近接させることができ、それによって作用部からヒンジに加えられる負担を大幅に軽減することができるため、ピボットの磨耗によるヒンジのガタつき等の機能的障害を抑制することも可能である。
【００３２】
そして、上記構造においてはテンプル１に対する板バネ14の取付けにおいて止着部材が不要となることから、差込チャンネル部11に板バネ14を挿入するだけで簡単に組み立てることができ、加えて、ネジ部材の緩みによってテンプル付１の付勢力が低下してしまうこともない。
【００３３】
なお、本実施例では、テンプル１に装入する板バネ14の前方側の嵌装部14bにスリットＳ・Ｓを並設したことにより、撓曲部14aを伸長して板バネ14の前方にまで撓曲部14aを延ばして形成した。
【００３４】
また本実施例では、テンプル１に装入された板バネ14に孔状の引掛け部14cを形成し、この引掛け部14cに治具等を差し込んで押引することにより板バネ14を差込チャンネル部11から簡単に抜き出せるようにした。
【００３５】
そして更に、テンプル１には、差込チャンネル部11の後部に連接してスロット部17を設け、このスロット部17内に板バネ14を密嵌することにより差込チャンネル部11における板バネ14の抜けや位置ズレを抑制した。
【００３６】
『実施例２』
次に、本発明の実施例２について図５から図７に基いて以下に詳細に説明する。まず、本実施例では、テンプル１の外面側に開放部11aを有する差込チャンネル11を形成し、この開放部11aを挟んで設けられた蝶片12・12の間に、フロント枠Ｆの側端部に連接したブラケット智Ｂ後端に形成された回動蝶片15を挿入してヒンジ連結したことにより、テンプル１を外側に開いた際、回動蝶片15の凸曲部15bが板バネ14を内側に撓曲させてテンプル１の開閉操作に反発力を付与することが可能となる（図５、図６参照）。
【００３７】
また本実施例では、テンプル１の内側側面にまで逃げ穴13を打ち抜いて設けたことにより、板バネ14の変形がテンプル１の厚みに制限されないため、板バネ14をテンプル１の厚み以上に大きく屈曲させることができる（図７参照）。
【００３８】
そしてまた、テンプル１の差込チャンネル部11に装入する板バネ14においては、両側にスリットＳ・Ｓを形成して撓曲部14aを伸長することにより板バネ14の一層の短尺化を図る一方、引掛け部14cを突起状に形成したため爪などを引っ掛けて簡単に板バネ14を差込チャンネル部11から抜き出すことができる。
【００３９】
『実施例３』
次に、本発明の実施例３について図８及び図９に基いて以下に詳細に説明する。本実施例では、プラスチック製テンプル１を使用すると共に、このテンプル１の差込チャンネル部11には、中域部に折曲げ片部14dを有する板バネ14を装入して構成することにより、テンプル１を外側に開いた際、回動蝶片15の凸曲部15bが前記折曲げ片部14dを押圧して撓曲させることにより、変形した折曲げ片部14dの弾性作用によってテンプル１を付勢することができる（図８、図９参照）。
【００４０】
また、上記構造では、外観上に板バネ14が現れないテンプル１をより薄く作製することができ、また、板バネ14の変形時に差込チャンネル部11内に局部的な負荷が加わることもないため比較的剛性の低いプラスチック製テンプルであっても変形を起すことなく問題なく使用できる。
【００４１】
そしてまた、本実施例では、テンプル１の差込チャンネル部11前後にスロット部17・17を形成し、このスロット部17・17に板バネ14を密嵌することにより差込チャンネル部11からの板バネ14の抜止めを強化した。
【００４２】
『実施例４』
次に、本発明の実施例４について図１０及び図１１に基いて以下に詳細に説明する。本実施例においては、中域部に反曲部14eが形成された板バネ14を使用すると共に、テンプル１の差込チャンネル部11の後部にはスロット部17を形成して、このスロット部17に前記反曲部14eの端部を挿入して構成したことにより、回動蝶片15の凸曲部15bが前記反曲部14eを押圧して反り戻すことにより、反り戻った反曲部14eの反発力によってテンプル１が付勢することができる（図１０、図１１参照）。
【００４３】
本発明は、概ね上記のように構成されるが、図示の実施形態に限定されるものでは決してなく、「特許請求の範囲」の記載内において種々の変更が可能であって、例えば、テンプル１の材質は、金属やプラスチックだけでなく、他の材料やそれらを組み合わせたものであってもよく、また、板バネ14の材料にも、金属材料に限らず使用に適する弾力性及び強度を有したプラスチック製板バネ14を使用してもよい。
【００４４】
そしてまた、テンプル１のヒンジ連結部においては、図１２に示すように蝶片12の上下を回動蝶片15・15で挟んで連結した雌雄逆転の形態であってもよく、また、単一の蝶片12と回動蝶片15とを連結した形態であってもよく、何れも本発明の技術的範囲に属する。
【産業上の利用可能性】
【００４５】
近年では、眼鏡フレームの装着性を向上するためにバネ蝶番が多用されるようになったことから、眼鏡業界においても様々なバネ蝶番機構が開発されてきた。ところが、市場では未だにバネ蝶番機構を備え、かつ、テンプルデザインがスマートな眼鏡を見受けることができない。
【００４６】
そのような中で、本発明の眼鏡テンプルの薄型バネ蝶番機構は、スリムでファッション性の高いテンプルデザインを実現できるだけでなく、バネ蝶番機構の機能面の耐久性を向上することも可能な有用な技術であることから、市場における需要は大きく、本発明の産業上の利用価値は非常に高いと云える。
【図面の簡単な説明】
【００４７】
【図１】本発明の実施例１におけるバネ蝶番機構を表わす全体斜視図である。
【図２】本発明の実施例１におけるバネ蝶番機構を表わす説明断面図である。
【図３】本発明の実施例１におけるバネ蝶番機構を表わす分解斜視図である。
【図４】本発明の実施例１におけるテンプル拡開時のバネ蝶番機構を表わす説明断面図である。
【図５】本発明の実施例２におけるバネ蝶番機構を表わす拡大斜視図である。
【図６】本発明の実施例２におけるバネ蝶番機構を表わす説明断面図である。
【図７】本発明の実施例２におけるバネ蝶番機構を表わす分解斜視図である。
【図８】本発明の実施例３におけるバネ蝶番機構を表わす説明斜視図である。
【図９】本発明の実施例３におけるバネ蝶番機構を表わす説明断面図である。
【図１０】本発明の実施例４におけるバネ蝶番機構を表わす説明斜視図である。
【図１１】本発明の実施例４におけるバネ蝶番機構を表わす説明断面図である。
【図１２】本発明の変形例におけるバネ蝶番機構を表わす説明斜視図である。
【符号の説明】
【００４８】
１  テンプル
11  差込チャンネル部
11a  開放部
11b  チャンネル溝
12  蝶片
13  逃げ穴
14  板バネ
14a  撓曲部
14b  嵌装部
14c  引掛け部
14d  折曲げ片部
14e  反曲部
15  回動蝶片
15a  回動周縁
15b  凸曲部
16  ピボット
17  スロット部
Ｆ  フロント枠
Ｂ  ブラケット智
Ｓ  スリット
【図１】
2008281808.tif 000003
【図２】
2008281808.tif 000004
【図３】
2008281808.tif 000005
【図４】
2008281808.tif 000006
【図５】
2008281808.tif 000007
【図６】
2008281808.tif 000008
【図７】
2008281808.tif 000009
【図８】
2008281808.tif 000010
【図９】
2008281808.tif 000011
【図１０】
2008281808.tif 000012
【図１１】
2008281808.tif 000013
【図１２】
2008281808.tif 000014